(57)【要約】【課題】音質を適切に設定しつつ、消費電力を低減する。【解決手段】電力供給源検出回路１１２は、バッテリ駆動かＡＣ電源駆動かを検出する。入力信号源検出回路１１０は、マイク入力かライン入力かを検出する。システム制御回路１１４は、回路１１０，１１２の検出結果に従い、クロック制御回路１１３を介して演算処理回路１０５を制御する。バッテリ駆動で、マイク入力の場合、演算処理回路１０５は、入力音声データを、その下位数ビットを無視して圧縮符号化する。バッテリ駆動で、ライン入力の場合、演算処理回路１０５は、入力音声データの全ビットを使って圧縮符号化する。ＡＣ電源駆動の場合、演算処理回路１０５は、入力音声データの全ビットを使って圧縮符号化する。入力信号源検出回路１１１は、再生データから記録時の検出回路１１０の検出結果情報を抽出する。システム制御回路１１４は、回路１１１の出力に従い、記録時と同様の演算精度に演算処理回路１０５を制御する。【選択図】  図１
2004171656.tif 000002
【特許請求の範囲】
【請求項１】
複数の音声信号入力手段と、
複数の電力供給源と、
複数のフリップフロップからなるレジスタと、
前記レジスタ同士の演算を行う演算器と、
前記演算器からの演算結果を格納する複数のフリップフロップからなるアキュムレータと、
音声信号を符号化し符号化音声信号を復号化する演算処理回路であって、前記レジスタ及び前記アキュムレータにクロックを供給する演算処理回路と、
前記演算処理回路により符号化された信号を記録媒体に記録する記録手段と、
前記記録媒体から信号を再生する再生手段と、
前記複数の音声信号入力手段のうちどの音声入力手段から入力されたかを検出する第１の音声信号入力源検出手段と、
前記再生手段からの再生信号がどの音声入力手段から入力されたかを検出する第２の音声信号入力源検出手段と、
電力供給源のタイプを検出する電力供給源検出手段と、
前記演算処理回路のクロックを制御するクロック制御回路であって、前記第１の音声信号入力源検出手段、前記第２の音声信号入力源検出手段及び前記電力供給源検出手段の検出結果に応じて、前記演算処理回路における前記レジスタ、前記演算器及び前記アキュムレータへのクロックを制御するクロック制御回路
とを具備することを特徴とする音声信号記録再生装置。
【発明の詳細な説明】
【０００１】
【発明の属する技術分野】
本発明は、音声信号記録再生装置に関し、例えばディスクを記録媒体に持つ音声信号記録再生に適した音声信号記録再生装置に関する。
【０００２】
【従来の技術】
音声信号記録再生装置は、主にプロセッサなどの演算処理回路を用いて音声信号の符号化及び復号化を行っているが、この演算処理回路の低消費電力化が注目されている。
【０００３】
ビデオカメラにおいては、従来、音声入力手段が例えばマイク入力とライン入力のように複数、存在するが、演算処理回路は、どの音声入力手段から入力する音声にも同じ処理を行っている。
【０００４】
特開平０５−１５０８７０号公報には、機能ブロック単位で不使用部分の動作ブロックを停止して低消費電力化を図る構成が記載されているが、この構成でも、入力手段に関わらず同じ処理を行っている。
【０００５】
【発明が解決しようとする課題】
ビデオカメラに用いられているマイクからの音声入力信号のＳＮ比は約６０ｄＢであるのに対し、ラインからの音声入力信号のＳＮ比は約１００ｄＢと、マイク入力のＳＮ比よりも低い。そのため、マイクからの音声信号入力データの下位ビットはノイズ成分である可能性が高いが、ライン入力と同様の処理を行うと、不要な下位ビットの演算を行うこととなり、消費電力の面で無駄が多い。
【０００６】
本発明は、このような問題点を解決する音声信号記録再生装置を提示することを目的とする。
【０００７】
【課題を解決するための手段】
上述した目的を達成するために、本発明に係る音声信号記録再生装置は、複数の音声信号入力手段と、複数の電力供給源と、複数のフリップフロップからなるレジスタと、前記レジスタ同士の演算を行う演算器と、前記演算器からの演算結果を格納する複数のフリップフロップからなるアキュムレータと、音声信号を符号化し符号化音声信号を復号化する演算処理回路であって、前記レジスタ及び前記アキュムレータにクロックを供給する演算処理回路と、前記演算処理回路により符号化された信号を記録媒体に記録する記録手段と、前記記録媒体から信号を再生する再生手段と、前記複数の音声信号入力手段のうちどの音声入力手段から入力されたかを検出する第１の音声信号入力源検出手段と、前記再生手段からの再生信号がどの音声入力手段から入力されたかを検出する第２の音声信号入力源検出手段と、電力供給源のタイプを検出する電力供給源検出手段と、前記演算処理回路のクロックを制御するクロック制御回路であって、前記第１の音声信号入力源検出手段、前記第２の音声信号入力源検出手段及び前記電力供給源検出手段の検出結果に応じて、前記演算処理回路における前記レジスタ、前記演算器及び前記アキュムレータへのクロックを制御するクロック制御回路とを具備することを特徴とする。
【０００８】
【実施例】
以下、図面を参照して、本発明の実施例を詳細に説明する。
【０００９】
図１は、本発明の一実施例であるデジタルビデオカメラの概略構成ブロック図である。１０１はデジタルビデオカメラに内蔵されているマイクである。１０２は、デジタルビデオカメラに付属するライン入力端子である。１０３は、音声信号信号のＩ／Ｆ部分であるオーディオ信号入出力回路である。オーディオ入出力回路１０３は、マイク１０１からの音声信号をデジタル信号に変換するＡ／Ｄ変換器を有し、マイク１０３からの音声信号をサンプリングして１サンプルにつきｎビット（ｎは２以上の所定数）のデジタル信号に変換する。また、オーディオ入出力回路１０３は、ライン入力端子１０２からの音声信号がアナログ音声信号の場合、同様にデジタル信号に変換し、また、デジタル音声信号であった場合にはそのままメモリ１０４に書き込む。１０４は内部メモリである。１０５は音声信号を符号化し、符号化音声信号を復号化する演算処理回路である。１０６は記録回路である。１０７は再生回路である。１０８はＤＶＤ（デジタル多用途ディスク）を始めとする光ディスク又はメモリカードなどからなる記録媒体である。１０９はスピーカである。
【００１０】
１１０は、入力信号がマイク１０１から入力された信号であるか、ライン入力端子１０２から入力された信号であるかを検出し、その検出結果を出力する入力信号源検出回路である。１１１は、記録媒体１０８に記録された信号が、マイク１０１から入力された音声信号を記録したものであるか、ライン１０２から入力された信号を記録したものであるかを検出する入力信号源検出回路である。１１２は、デジタルビデオカメラ使用時に、電力供給が例えばバッテリのような小容量の電源であるか、例えばＡＣ電源のような大容量の電源であるかを検出する電力供給源検出回路である。１１３は、演算処理回路１０５のクロックを制御するクロック制御回路である。１１４は、入力供給源検出回路１１０、入力信号源検出回路１１１及び電力供給源検出回路１１２の各検出結果に応じて、クロック制御回路１１３を制御するシステム制御回路である。
【００１１】
図２は、演算処理回路１０５の概略構成ブロック図を示す。２０１及び２０２は、内部メモリ１０４からロードされた信号を一旦保持するレジスタであり、それぞれ、複数のフリップフロップからなる。２０３は、レジスタ２０１，２０２に記憶される信号を演算する演算器（ＡＬＵ）である。２０４は、演算器２０２で演算された演算結果を保持するアキュムレータ（レジスタ）である。２０５は、演算処理回路１０５における内部クロック（クロック発生回路）である。２０６，２０７は、入力側レジスタにおけるクロックのセレクタであり、２０８は、アキュムレータ２０４におけるクロックのセレクタである。セレクタ２０６，２０７，２０８は、クロック制御回路１１３からのクロック制御信号により指定されるクロックを選択し、内部クロック２０５としてそれぞれレジスタ２０１，２０２，２０４のＬＳＢ側の所定数のフリップフロップに供給する。
【００１２】
以下、電源供給源が小容量で、デジタルビデオカメラを記録モードで動作させる場合（ケースＡ）、電源供給源が小容量で、デジタルビデオカメラを再生モードで動作させる場合（ケースＢ）、及び、電源供給源が大容量である場合（ケースＣ）の３つのケースについてその動作を説明する。ここで、電力供給源が小容量であるということは、デジタルビデオカメラをバッテリのみで駆動している状況を示し、電力供給源が大容量であるということは、デジタルビデオカメラをＡＣ電源で駆動している状況を示す。
【００１３】
ケースＡでは、音声信号は、マイク１０１またはライン入力端子１０２から入力され、音声信号Ｉ／Ｆである音声信号入出力回路１０３を介して一旦、内部メモリ１０４に保存される。このとき、電力供給源検出回路１１２が、電力供給源がバッテリであると検出すると、システム制御回路１１４は、入力源検出回路１１０に指令して、入力される音声信号がマイク１０１から入力された信号であるかライン入力端子１０２から入力された信号であるかを検出させる。
【００１４】
入力信号源検出回路１１０が、音声入力信号がライン入力端子１０２からの信号であると検出したとする。この時、本装置の利用場面は、例えば本装置以外のデジタルビデオカメラに記録されている音声信号又はＤＶＤ再生装置から再生される音声信号をＵＳＢ又はＩＥＥＥ１３９４などの接続ケーブルを介してダビング又は記録したりする場合である。その際、本装置以外のデジタルビデオ機器の記録媒体に記録されている音声信号、又は、ＤＶＤに記録されている音声信号の音質は高いものである可能性が大きい。この場合、音声信号の演算には精度が高いものが必要となる。
【００１５】
入力源検出回路１１０の検出結果信号がシステム制御回路１１４に送られ、システム制御回路１１４はクロック制御回路１１３を制御し、クロック制御回路１１３は、演算処理回路１０５におけるセレクタ２０６，２０７，２０８を制御して、入力側のレジスタ２０１，２０２におけるすべてのフリップフロップに対して内部クロック２０５を供給させる。演算器２０３は、レジスタ２０１，２０２の保持値を演算し、演算結果をアキュムレータ２０４に格納されるが、このときも、セレクタ２０８は、アキュムレータ２０４の全フリップフロップに対して内部クロック２０５を供給する。つまり、音声入力信号がライン入力の場合、演算処理回路１０５のレジスタ２０１，２０２及びアキュムレータ２０４の全フリップフロップに内部クロック２０５が供給され、演算処理回路１０５は、内部クロック２０５に従い演算を実行する。
【００１６】
逆に、入力信号源検出回路１１０が、音声入力信号がマイク１０１からの信号であると検出したとする。デジタルビデオカメラに内蔵されているマイク１０１からの音声入力信号は、マイク自体の性能にも左右されるが、ライン入力と比較してＳＮ比は低い。つまり、演算におけるデータの下位ビットはノイズ成分であると言える。この場合、マイク入力の音声信号に対しては、ライン入力の時と比較して、高い演算精度は必要ない。
【００１７】
このとき、入力源検出回路１１０の検出結果信号がシステム制御回路１１４に送られ、システム制御回路１１４はクロック制御回路１１３を制御し、クロック制御回路１１３は、演算処理回路１０５におけるセレクタ２０６，２０７，２０８を制御して、レジスタ２０１，２０２の下位ビットの複数のフリップフロップに内部クロック２０５を供給させず、アキュムレータ２０４の下位ビットの複数のフリップフロップに内部クロック２０５を供給させない。つまり、音声入力信号がマイク入力の場合、演算処理回路１０５は、演算処理回路１０５のレジスタ２０１，２０２及びキュムレータ２０４を構成する上位ビットの複数のフリップフロップには内部クロック２０５を供給するが、下位ビットの複数のフリップフロップには内部クロック２０５を供給しない状態で、演算を実行する。
【００１８】
入力源検出回路１１０は、音声信号の入力源を示すフラグを記録する機能を併せ持つ。例えば、ＭＰＥＧ１オーディオには、ストリームの構成要素にアンシラリデータと呼ばれる、規格上、任意に利用できるビット領域が存在する。そこで、そのアンシラリデータに音声信号入力源を示すフラグを書き込み、再生時にこのフラグを読み込むことで、記録モード時と同様なクロック制御を行えるようになる。この機能は、再生モードの動作として後述する。
【００１９】
演算処理回路１０５の演算結果である音声符号化信号は、入力源検出回路１１０から出力された入力源フラグと共に、一旦、内部メモリ１０４に保存され、記録回路１０６により記録媒体１０８に記録される。
【００２０】
次に、ケースＢの動作を説明する。記録媒体１０８に記録されている音声符号化信号は、再生回路１０７を介して、一旦、内部メモリ１０４に保存される。このとき、電力供給源検出回路１１２が、電力供給源がバッテリであると検出すると、システム制御回路１１４は、入力源検出回路１１１に命令して、再生する音声符号化信号が、記録モード時にマイク１０１から入力された音声信号を記録したものであるか、ライン入力端子１０２から入力された音声信号を記録したものであるかを検出させる。
【００２１】
入力信号源検出回路１１１の検出結果として、音声入力信号がライン入力端子１０２からの音声信号であった場合を説明する。この場合、記録時に高い演算精度で演算を行って符号化を行っているので、復号化の演算にも精度が高いものが必要となる。
【００２２】
入力源検出回路１１１の検出結果信号がシステム制御回路１１４に送られ、システム制御回路１１４はクロック制御回路１１３を制御し、クロック制御回路１１３は、演算処理回路１０５のセレクタ２０６，２０７，２０８を制御して、レジスタ２０１，２０２及びアキュムレータ２０４の全フリップフロップに内部クロック２０５を供給させる。即ち、演算処理回路１０５は、記録時と同様に、内部クロック２０５に従って演算を実行する。
【００２３】
逆に、入力信号源検出回路１１１の検出結果として、音声入力信号がマイク１０１からの信号であった場合を説明する。この場合、記録時には、ライン入力に対して演算精度を落として演算を行って符号化を行っているので、復号化の演算でも、ライン入力と比較して、高い演算精度は必要ない。
【００２４】
入力源検出回路１１１の検出結果信号がシステム制御回路１１４に送られ、システム制御回路１１４はクロック制御回路１１３を制御し、クロック制御回路１１３は、演算処理回路１０５のセレクタ２０６，２０７，２０８を制御して、レジスタ２０１，２０２及びアキュムレータ２０４の下位ビットの複数のフリップフロップに内部クロック２０５を供給させない。これにより、音声入力信号がマイク入力の場合、演算処理回路１０５は、レジスタ２０１，２０２及びアキュムレータ２０４の上位ビットの複数のフリップフロップには内部クロック２０５を供給するが、下位ビットの複数のフリップフロップには内部クロック２０５を供給しない状態で、演算を実行する。
【００２５】
本装置以外の装置で記録された記録媒体では、前述したフラグの情報が無いので、そのような記録媒体を再生する場合には、システム制御回路１１４は、入力源検出回路１１１の検出結果がライン入力であるとして、演算処理回路１０５に演算を実行させる。
【００２６】
演算処理回路１０５の演算結果である音声信号は、一旦、内部メモリ１０４に保存され、音声入出力回路１０３を介してスピーカ１０９から出力される。
【００２７】
次に、ケースＣの動作を説明する。電力供給源検出回路１１２が、電力供給源がＡＣ電源であると検出すると、システム制御回路１１４は、入力源検出回路１１０，１１１に何も命令しない。ケースＣでは、本装置に対する電源供給が十分であるので、演算処理回路１０５の消費電力よりも、演算精度を優先する。このとき、システム制御回路１１４はクロック制御回路１１３を制御し、クロック制御回路１１３は、演算処理回路１０５のセレクタ２０６，２０７，２０８を制御して、レジスタ２０１，２０２及びアキュムレータ２０４の全フリップフロップに内部クロック２０５を供給させる。これにより、演算処理回路１０５は、ケースＡ及びケースＢにおいて、音声信号がライン入力端子１０２から入力されたと検出されたときと同様の精度の演算を実行する。
【００２８】
図３は、上述したクロック制御のフローチャートを示す。図３は、記録モード及び再生モードのどちらにも有効である。ステップ３０１が電力供給源検出回路１１２の動作を規定し、ステップ３０２が記録モードでの入力信号源検出回路１１０、及び再生モードでの入力信号源検出回路１１１の動作を規定する。ステップ３０３は、演算処理回路１０５のレジスタ２０１，２０２及びアキュムレータ２０４を構成するフリップフロップのうち下位ビットを表現するフリップフロップへのクロック供給を停止する動作を規定する。ステップ３０４は、演算処理回路１０５のレジスタ２０１，２０２及びアキュムレータ２０４を構成する全フリップフロップに内部クロック２０５を供給する動作を規定する。
【００２９】
ステップ３０１でバッテリを使用しない、つまりＡＣ電源を使用している場合は、ステップ３０４に移行し、全フリップフロップに内部クロック２０５を供給する。ステップ３０１でバッテリを使用する場合、ステップ３０２に移行し、記録モードでは入力信号源検出回路１１０の検出結果を参照し、再生モードでは入力信号源検出回路１１１の検出結果を参照する。ステップ３０２で入力信号源がマイクではない、つまりライン入力である場合、ステップ３０４に移行し、全フリップフロップに内部クロック２０５を供給する。ステップ３０２で、記録モードでは入力信号源検出回路１１０の検出結果を参照し、再生モードでは入力信号源検出回路１１１の検出結果を参照する。マイク入力である場合、ステップ３０３に移行し、演算処理回路１０５のレジスタ２０１，２０２及びアキュムレータ２０４の下位ビットを表現するフリップフロップへ内部クロック２０５を供給するのを停止する。
【００３０】
（その他）
本発明の実施態様の例を以下に列挙する。
【００３１】
（実施態様１）  複数の音声信号入力手段と、
複数の電力供給源と、
複数のフリップフロップからなるレジスタと、
前記レジスタ同士の演算を行う演算器と、
前記演算器からの演算結果を格納する複数のフリップフロップからなるアキュムレータと、
音声信号を符号化し符号化音声信号を復号化する演算処理回路であって、前記レジスタ及び前記アキュムレータにクロックを供給する演算処理回路と、
前記演算処理回路により符号化された信号を記録媒体に記録する記録手段と、
前記記録媒体から信号を再生する再生手段と、
前記複数の音声信号入力手段のうちどの音声入力手段から入力されたかを検出する第１の音声信号入力源検出手段と、
前記再生手段からの再生信号がどの音声入力手段から入力されたかを検出する第２の音声信号入力源検出手段と、
電力供給源のタイプを検出する電力供給源検出手段と、
前記演算処理回路のクロックを制御するクロック制御回路であって、前記第１の音声信号入力源検出手段、前記第２の音声信号入力源検出手段及び前記電力供給源検出手段の検出結果に応じて、前記演算処理回路における前記レジスタ、前記演算器及び前記アキュムレータへのクロックを制御するクロック制御回路
とを具備することを特徴とする音声信号記録再生装置。
【００３２】
（実施態様２）  前記複数の音声信号入力手段は、マイク並びにライン入力端子であり、前記電力供給源は、ＡＣ電源並びにバッテリである実施態様１に記載の音声信号記録再生装置。
【００３３】
（実施態様３）  前記クロック制御回路は、前記第１の音声信号入力源検出手段または前記第２の音声信号入力源検出手段の検出結果において前記音声信号入力手段がマイク入力であると判断された場合、前記電力供給源検出手段の検出結果に応じて前記演算処理回路における前記レジスタ及び前記アキュムレータにおける下位ビットを表現する複数のフリップフロップのクロックを制御し、前記第１の音声信号入力源検出手段または前記第２の音声信号入力源検出手段の検出結果において前記音声信号入力手段がライン入力であると判断された場合、前記レジスタ及び前記アキュムレータの全フリップフロップにクロックを供給することを特徴とする実施態様１に記載の音声信号記録再生装置。
【００３４】
（実施態様４）  前記クロック制御回路は、前記電力供給源検出手段の検出結果において前記電力供給源がバッテリであると判断された場合、前記第１の音声信号入力源検出手段または前記第２の音声信号入力源検出手段の検出結果に応じて、前記演算処理回路における前記レジスタ及び前記アキュムレータにおける下位ビットを表現する複数のフリップフロップのクロックを制御し、前記電力供給源検出手段の検出結果において前記電力供給源がＡＣ電源であると判断された場合、前記演算処理回路における前記レジスタ及び前記アキュムレータの全フリップフロップにクロックを供給することを特徴とする実施態様１に記載の音声信号記録再生装置。
【００３５】
（実施態様５）  前記クロック制御回路は、前記第１の音声信号入力源検出手段または前記第２の音声信号入力源検出手段の検出結果において前記音声信号入力手段がマイク入力であると判断された場合、前記電力供給源検出手段の検出結果において電力供給源がバッテリであると判断されたとき、前記演算処理回路における前記レジスタ及び前記アキュムレータにおける下位ビットを表現する複数のフリップフロップへのクロック供給を停止し、電力供給源がＡＣ電源であると判断されたとき、前記演算処理回路における前記レジスタ及び前記アキュムレータにおける下位ビットを表現する複数のフリップフロップのクロック供給を停止しないことを特徴とする実施態様１、２又は３に記載の音声信号記録再生装置。
【００３６】
（実施態様６）  前記クロック制御回路は、前記電力供給源検出手段の検出結果において電力供給源がバッテリであると判断された場合で、前記第１の音声信号入力源検出手段または前記第２の音声信号入力源検出手段の検出結果において前記音声信号入力手段がマイク入力であると判断されたとき、前記演算処理回路における前記レジスタ及び前記アキュムレータにおける下位ビットを表現する複数のフリップフロップへのクロック供給を停止し、前記音声信号入力手段がライン入力であると判断されたとき、前記演算処理回路における前記レジスタ及び前記アキュムレータにおける下位ビットを表現する複数のフリップフロップのクロック供給を停止しないことを特徴とする実施態様１、２又は３に記載の音声信号記録再生装置。
【００３７】
（実施態様７）  マイクロフォンと、
前記マイクロフォンから出力された音声信号をデジタル音声信号に変換し、第１のデジタル音声信号を出力する入力処理手段と、
外部装置から供給された音声信号を入力し、第２のデジタル音声信号を出力する音声入力手段と、
動作クロックに応じて、前記第１のデジタル音声信号と第２のデジタル音声信号のうちの一方を選択し、この選択したデジタル音声信号に対して演算処理を施して出力する音声演算手段と、
前記音声演算手段から出力されたデジタル音声信号を記録媒体に記録する記録手段と、
前記第１のデジタル音声信号を記録する第１の記録モードと、前記第２のデジタル音声信号を記録する第２のデジタル音声信号を記録する第２の記録モードの間でモードを設定するモード設定手段と、
前記モード設定手段により設定された記録モードに応じて、前記演算手段に対する前記動作クロックの供給処理を変更する制御手段
とを備えることを特徴とする記録装置。
【００３８】
（実施態様８）  前記第１のデジタル音声信号と第２のデジタル音声信号はそれぞれ１サンプル複数ビットのデジタル信号であり、前記制御手段は、前記第１の記録モードにおいて前記第１のデジタル音声信号のうち所定ビットを処理する処理ブロックに対する前記動作クロックの供給を停止することにより前記所定ビット以外のビットに対して演算処理を行い、前記第２の記録モードにおいて前記第２のデジタル音声信号の全てのビットに対して演算処理を行うよう前記演算手段を制御することを特徴とする１記載の記録装置。
【００３９】
（実施態様９）  前記演算手段はｎビットのレジスタ（ｎは２以上の整数）を有し、前記制御手段は前記第１の記録モードにおいて前記レジスタにおける所定ビットに対する前記動作クロックの供給を停止することを特徴とする実施態様７に記載の記録装置。
【００４０】
（実施態様１０）  バッテリまたはＡＣ電源から電源供給を受ける装置であって、
マイクロフォンと、
前記マイクロフォンから出力された音声信号をデジタル音声信号に変換し、第１のデジタル音声信号を出力する入力処理手段と、
外部装置から供給された音声信号を入力し、第２のデジタル音声信号を出力する音声入力手段と、
動作クロックに応じて、前記第１のデジタル音声信号と第２のデジタル音声信号のうちの一方を選択し、この選択したデジタル音声信号に対して演算処理を施して出力する音声演算手段と、
前記音声演算手段から出力されたデジタル音声信号を記録媒体に記録する記録手段と、
前記第１のデジタル音声信号を記録する第１の記録モードと、前記第２のデジタル音声信号を記録する第２のデジタル音声信号を記録する第２の記録モードの間でモードを設定するモード設定手段と、
前記バッテリより電力供給を受けていることを検出する電力供給検出手段と、
前記モード設定手段により設定された記録モードと前記電力供給検出手段の検出結果とに応じて、前記演算手段に対する前記動作クロックの供給処理を変更する制御手段
とを備えることを特徴とする記録装置。
【００４１】
【発明の効果】
以上の説明から明らかなように、本発明によれば、音声信号記録再生装置において、装置の使用状況及び音声信号の入力経路に応じて演算処理回路のクロックを制御し、これにより、入力経路に応じた適切な音質を維持しつつ、消費電力を低減できる。
【図面の簡単な説明】
【図１】本発明の一実施例の概略構成ブロック図である。
【図２】演算処理回路１０５の概略構成ブロック図である。
【図３】本実施例におけるクロック制御のフローチャートである。
【符号の説明】
１０１：マイク
１０２：ライン入力端子
１０３：オーディオ信号入出力回路
１０４：内部メモリ
１０５：演算処理回路
１０６：記録回路
１０７：再生回路
１０８：記録媒体
１０９：スピーカ
１１０，１１１：入力信号源検出回路
１１２：電力供給源検出回路
１１３：クロック制御回路
１１４：システム制御回路
２０１，２０２：レジスタ
２０３：演算器（ＡＬＵ）
２０４：アキュムレータ（レジスタ）
２０５：内部クロック
２０６，２０７，２０８：セレクタ
【図１】
2004171656.tif 000003
【図２】
2004171656.tif 000004
【図３】
2004171656.tif 000005